【事件の表示】
　上記当事者間の特許第５０４６７５６号発明「分散組成物及びスキンケア用化粧料並びに分散組成物の製造方法」の特許無効審判事件について、次のとおり審決する。
【結　論】
　本件審判の請求は、成り立たない。
　審判費用は、請求人の負担とする。
【理　由】
第１　手続の経緯
　本件審判に係る特許（以下、「本件特許」という。）は、平成１９年６月２７日に特許出願（特願２００７−１６９６３５号。以下、「本件出願」という。）がされ、平成２４年７月２７日に設定登録（特許第５０４６７５６号、発明の名称「分散組成物及びスキンケア用化粧料並びに分散組成物の製造方法」（請求項数８）。以下、その特許請求の範囲及び明細書を、それぞれ「本件特許請求の範囲」及び「本件特許明細書」という。）がされたものである。
　そして、平成２７年２月１３日に、株式会社ディーエイチシー（以下、「請求人」という。）から、本件特許請求の範囲の請求項１ないし４に係る発明を無効とすることについて本件審判の請求がされた。
　本件審判のその後の手続の経緯は、以下のとおりである。
平成２７年　５月　１日　　　答弁書提出（被請求人）
　　　同年　９月２５日付け　審理事項通知書（当審）
　　　同年１０月２６日　　　口頭審理陳述要領書提出（請求人）
　　　同年　同月　同日　　　口頭審理陳述要領書提出（被請求人）
　　　同年１１月　９日　　　第１回口頭審理（非公開）
　　　同年１１月２４日　　　上申書提出（被請求人）
　　　同年１１月２５日　　　上申書提出（請求人）
第２　本件特許に係る発明
　本件特許の請求項１〜８に係る発明は、本件特許請求の範囲の請求項１〜８に記載された事項により特定されるとおりのものであり、そのうち、本件無効審判請求にかかる請求項１〜４に記載された発明（以下、「本件特許発明１〜４」という。）は、次のとおりのものである。
「【請求項１】
　（ａ）アスタキサンチン、ポリグリセリン脂肪酸エステル、及びリン脂質又はその誘導体を含むエマルジョン粒子；
　（ｂ）リン酸アスコルビルマグネシウム、及びリン酸アスコルビルナトリウムから選ばれる少なくとも１種のアスコルビン酸誘導体；並びに
　（ｃ）ｐＨ調整剤
を含有する、ｐＨが５．０〜７．５のスキンケア用化粧料。
【請求項２】
　前記リン脂質又はその誘導体がレシチンである、請求項１に記載のスキンケア用化粧料。
【請求項３】
　更にトコフェロールを含む、請求項１又は請求項２に記載のスキンケア用化粧料。
【請求項４】
　更にグリセリンを含む、請求項１〜請求項３のいずれか１項記載のスキンケア用化粧料。」
第３　請求人の主張の概要及び証拠方法
１　無効理由の概要
　請求人は、平成２７年２月１３日に請求の趣旨を「『特許第５０４６７５６号の特許請求の範囲の請求項１乃至４に係る発明についての特許を無効にする、審判費用は被請求人の負担とする。』との審決を求める。」とする本件無効審判を請求し、概略以下の無効理由１〜４を主張した。
（１）無効理由１
　本件特許の請求項１ないし４に係る各発明は、甲第１号証に記載された発明であるから、特許法第２９条第１項第３号に該当し、特許を受けることができないものであり、同法第１２３条第１項第２号の規定に該当する。
（２）無効理由２
　本件特許の請求項１ないし４に係る各発明は、甲第１号証に記載された発明に基づいて、又は、甲第１号証並びに甲第３号証の１〜６及び甲第４号証の１〜２に記載された発明に基づいて当業者が容易に発明をすることができたものであるから、特許法第２９条第２項の規定により特許を受けることができないものであり、同法第１２３条第１項第２号の規定に該当する。
（３）無効理由３
　本件特許の請求項１ないし４に係る各発明は、甲第５号証並びに甲第６号証、甲第７号証の１〜６及び甲第４号証の１〜２に記載された発明に基づいて当業者が容易に発明をすることができたものであるから、特許法第２９条第２項の規定により特許を受けることができないものであり、同法第１２３条第１項第２号の規定に該当する。
（４）無効理由４
　本件特許の請求項１ないし４に係る各発明は、甲第９号証並びに甲第６号証、甲第７号証の１〜６及び甲第４号証の１〜２に記載された発明に基づいて当業者が容易に発明をすることができたものであるから、特許法第２９条第２項の規定により特許を受けることができないものであり、同法第１２３条第１項第２号の規定に該当する。
２　証拠方法
　請求人は、証拠方法として甲第１号証ないし甲第１４号証（枝番を含む）を提出した。なお、甲第９号証については、平成２７年１１月９日に開催された第１回口頭審理において、請求人の申立てにより、１頁目のみを甲第９号証の１、その他を甲第９号証の２と訂正された。
［平成２７年２月１３日付け審判請求書に添付］
甲第１号証：２００７年１月１５日に発売された「エフ　スクエア　アイ　インフィルトレート　セラム　リンクル　エッセンス」に関する有限会社　久光工房のウェブページ（２００７年６月１４日）
甲第２号証：「エフ　スクエア　アイ　インフィルトレート　セラム　リンクル　エッセンス」に関する富士フイルム株式会社のニュースリリースウェブページ（平成１８年１２月２２日）
甲第３号証の１：「新化粧品学　２版１刷」光井武夫編（南山堂）、２００１年１月１８日発行、第３５７頁
甲第３号証の２：特開平９−５２８１４号公報
甲第３号証の３：特開２００４−６７５８７号公報
甲第３号証の４：特開２００４−１８９６９３号公報
甲第３号証の５：特開２００６−１１１５４２号公報
甲第３号証の６：特開平１０−１９４９６０号公報
甲第４号証の１：光井武夫編、「新化粧品学　２版３刷」、南山堂、２００４年１１月１５日発行、第２２１頁
甲第４号証の２：日本化粧品技術者会編、「化粧品事典」、丸善、平成１７年４月２５日発行、第２２６〜２２８頁「１６　化粧品の品質、１６．１　安定性」
甲第５号証：「アスタキサンチン　ver.1.0 SM」カタログ（オリザ油化株式会社）、２００６年５月２５日制定　「製品名：アスタキサンチン−ＬＳＣ１、化粧品」
甲第６号証：「富士フイルム研究報告Ｎｏ．５２−２００７」、平成１９年５月１６日に国会図書館受入、同年６月１日より利用提供開始、第２６〜２９頁「アスタキサンチンナノ乳化物の開発−安定性向上と吸収効率向上」及び第３０〜３３頁「アスタキサンチン含有化粧品の開発」
甲第７号証の１：特開２００６−１６０６８７号公報
甲第７号証の２：特開平８−２２４４５８号公報
甲第７号証の３：特開２００３−３４２１１７号公報
甲第７号証の４：特開２００５−１１２７７０号公報
甲第７号証の５：特開２００３−１２４５８号公報
甲第７号証の６：特開２００２−２７５０２９号公報
甲第８号証：「アスタキサンチン　ver.2.2 SJ」カタログ（オリザ油化株式会社）（甲第５号証の規格書フォーマットを変更した改訂版）、２０１２年９月１３日改訂
甲第９号証の１：バイオジェニック株式会社販売の「Ａｓｔａｂｉｏ　ＡＷ０．５」製品のラベル（２００６年９月製造）
甲第９号証の２：「Ａｓｔａｂｉｏ」のパンフレット（バイオジェニック株式会社）、２００７年５月１０日
甲第１０号証：「第８版　食品添加物公定書」（厚生労働省）、平成１９年３月、第３２１〜３２２頁
［平成２７年１０月２６日付け口頭審理陳述要領書に添付］
甲第１１号証の１：R. Austria, A. Semenzato, A. Bettero、Stability of vitamin C derivatives in solution and topical formulations、Journal of Pharmaceutical and Biomedical Analysis、１５、１９９７年、第７９５〜８０１頁
甲第１１号証の２：甲第１１号証の１の抄訳
甲第１２号証：特開２００４−１０６１２号公報
甲第１３号証の１：株式会社シー・シー・メディコの「Chilled for skin（チルド　フォー　スキン）」に関するウェブページ（２００５年７月１２日）
甲第１３号証の２：「ＶＣ−ＰＭＧローション」、「レチノイン酸クリーム」、「ハイドロキノン軟膏」に関するくろだ皮膚科クリニックのウェブページ（２００４年２月１０日）
甲第１３号証の３：「植物性プラセンタ１００％原液　ＥＸ１００」に関するＥＢｉＳのウェブページ（２００５年１２月１０日）
甲第１３号証の４：「ラヴィタエ　ダマスク　ローズウォーター」に関するハースのウェブページ（２００６年９月２日）
甲第１３号証の５：「クトロＶＣ５ローション」に関するコスメドのウェブページ（２００３年６月１日）
甲第１４号証の１：甲第５号証に関する「報告書」オリザ油化株式会社　平成２７年１０月２２日
甲第１４号証の２：甲第５号証に関する「報告書」バイオジェニック株式会社　平成２７年１０月６日
（なお、以下において、「甲第１号証」〜「甲第１４号証」を「甲１」〜「甲１４」と略記する。）
第４　被請求人の主張の概要及び証拠方法
１　主張の概要
　被請求人は、平成２７年５月１日付けで答弁の趣旨を「本件審判の請求は成り立たない　審判費用は請求人の負担とする　との審決を求める。」とする答弁書を提出し、請求人が主張する無効理由はいずれも理由がない旨の反論をした。
２　証拠方法
　被請求人は、証拠方法として乙第１ないし２７号証を提出した。
［平成２７年５月１日付け答弁書に添付］
乙第１号証：●（省略）●
乙第２号証：富士フイルム株式会社　Ｒ＆Ｄ統括本部　技術戦略部　統括マネージャー　中村義貞の平成２７年４月２７日付け「陳述書」
乙第３号証：特開２００２−３４８２７５号公報
乙第４号証：特開平７−３００４２１号公報
乙第５号証：特開２００５−２１７５号公報
乙第６号証：田川正人他、「リン酸Ｌ−アスコルビルマグネシウムの化粧品への応用」、日本化粧品技術者会誌、第２３巻第３号、１９８９年、第２００〜２０６頁
乙第７号証：高橋和彦他、「リン酸Ｌ−アスコルビルマグネシウムを含有するレシチンゾル」、日本化粧品技術者会誌、第２４巻第１号、１９９０年、第２７〜３０頁
乙第８号証：特開平３−６３２０８号公報
乙第９号証：特許第５５２７８１０号公報
乙第１０号証：特許第４９２６３５４号公報
乙第１１号証：特許第４１４１７０９号公報
乙第１２号証：本件特許出願の審査過程での平成２４年６月７日付け意見書
乙第１３号証：平成２７年４月２８日付け実験成績証明書
乙第１４号証：●（省略）●
乙第１５号証：●（省略）●
乙第１６号証：●（省略）●
乙第１７号証：●（省略）●
乙第１８号証：平成２７年４月２８日付け実験成績証明書
［平成２７年１０月２６日付け口頭審理陳述要領書に添付］
乙第１９号証：鈴木正人監修、「有用性化粧品の処方とその活用」、シーエムシー出版、２０１０年８月２０日発行、第１０６〜１０９頁
乙第２０号証：村橋俊一他監訳、「ボルハルト　ショアー　現代有機化学（第４版）〔上〕」第４版第２刷、化学同人、２００４年９月３０日発行、第５８〜６５頁
乙第２１号証：「化粧品・医薬部外品　製造販売ガイドブック　２００６」第２刷、薬事日報社、２００６年６月１日発行、第１３８〜１４１頁
乙第２２号証：●（省略）●
乙第２３号証：「ｅｎ　ｅｆｆｅｔ［アンネフェ］　９月号」　Ｎｏ．１、富士フイルム株式会社、２００７年９月１日発行
乙第２４号証：●（省略）●
乙第２５号証：富士フイルム株式会社　Ｒ＆Ｄ統括本部　医薬品・ヘルスケア研究所　研究マネージャー　久保利昭の平成２７年１０月２２日付け「陳述書」
乙第２６号証：平成２７年１０月２２日付け実験成績証明書
乙第２７号証：乙第２６号証に記載の測定値に対応する分光光度計での測定結果（ＣＤ−ＲＯＭ）
（なお、以下において、「乙第１号証」〜「乙第２７号証」を「乙１」〜「乙２７」と略記する。）
第５　当審の判断
　当審は、上記無効理由１〜４は、以下のとおり、いずれも理由がないものと判断する。
１　甲１〜甲１４の２の記載事項
　無効理由１〜４は、甲１〜甲１４の２のいずれかに記載された技術的事項等に基づく無効理由であることに鑑み、まず、甲１〜甲１４の２の記載事項を摘示する。
ア　甲１
「商品名　エフ　スクエア　アイ　インフィルトレート　セラム　リンクル　エッセンス
販売元　フジフイルム
発売日　２００７／０１／１５
分類　ジェル・美容液
全成分リスト
１．水
２．グリセリン
３．ＢＧ
４．ペンチレングリコール
５．クエン酸
６．リン酸アスコルビルＭｇ
７．ＰＥＧ−６０水添ヒマシ油
８．ベタイン
９．グリコシルトレハロース
１０．水酸化Ｎａ
１１．キサンタンガム
１２．加水分解水添デンプン
１３．メチルパラベン
１４．アルギニン
１５．プルラン
１６．トリ（カプリル酸／カプリン酸）グリセリル
１７．オレイン酸ポリグリセリル−１０
１８．ヘマトコッカスプルビアリス油
１９．ステアリン酸スクロース
２０．トコフェロール
２１．レシチン
２２．エチドロン酸４Ｎａ
２３．アセチルヒドロキシプロリン
２４．ダマスクバラ花油
２５．加水分解バレイショタンパク
２６．ＰＣＡ−Ｎａ
２７．グルコシルルチン
２８．ニンジン根エキス
２９．フェノキシエタノール
３０．コメヌカスフィンゴ糖脂質
３１．水添レシチン
３２．オクラエキス
３３．エチルパラベン
３４．リゾレシチン
３５．プロピルパラベン」
イ　甲２
「「エフ　スクエア　アイ　インフィルトレート　セラム　リンクル　エッセンス」新発売
　　　　　　　　　　　　　　　　　　　　　　　平成１８年１２月６日
　　　　　　　　　　　　　　　　　　　　　　　富士フイルム株式会社
　富士フイルム株式会社…はこのたび、今注目されている赤い天然色素『アスタキサンチン』を配合した真浸透美容液「エフ　スクエア　アイ　インフィルトレート　セラム　リンクル　エッセンス」を平成１９年１月１５日より発売いたします。
…
　私たちは、ナノ粒子化した『アスタキサンチン』の表面を、壊れにくいシャボン玉のような薄くやわらかな膜で包むことで、粒子どうしが結合して大きくなるのを防ぐ＝浸透しやすい形状を保つことに成功しました。「エフ　スクエア　アイ　インフィルトレート　セラム　リンクル　エッセンス」の透明な美しさは、従来のテクノロジーでは濁りがあった『アスタキサンチン』液を見事にナノ化した成果なのです。これにより極小の粒子が素肌の奥まで素早く、しかもしっかり浸透し、内側からふっくら生まれ変るかのような明るいハリ肌を導き出します。」
ウ　甲３の１
「ｐＨは弱アルカリ〜弱酸性が主流であるが，最近は皮膚表面のｐＨに近い５．５〜６．５程度に調整された化粧水が多い．」（第３５７頁）
エ　甲３の２
「【０００９】本発明の実施の態様は、化粧水、美溶液などの水系の可溶化型皮膚化粧料、乳液などの乳化型皮膚化粧料であり、特に酸性の可溶化型皮膚化粧料が好適で、これら化粧料の場合、ｐＨは３〜７であり、特にｐＨ４〜６で好ましい。このｐＨとするためにクエン酸、コハク酸、リン酸、リンゴ酸、乳酸、酒石酸などの有機酸あるいは無機酸の少なくとも１種以上を用いてｐＨを調整する。」
オ　甲３の３
「【００１６】
…
本発明の化粧料のｐＨは３．０〜９．０が好ましく、４．５〜６．５がより好ましい。ｐＨが上記の範囲内であれば、使用時に皮膚の赤変が生じたり、刺激を感じる恐れがない。このようなｐＨの調整は上記電解質の組成を適宜選択することで実施することができる。」
カ　甲３の４
「【００３６】
本発明の化粧料のｐＨは、特に制限されないが、皮膚に直接塗布する化粧料として用いる場合には、皮膚刺激性が低いという点から４〜７が好ましい。ｐＨを調整するために化粧料に一般的に使用する有機酸、無機酸、及びそれらの塩を含有させることができる。例えば、グリコール酸、乳酸、リンゴ酸、酒石酸、クエン酸などのヒドロキシカルボン酸；シュウ酸、マロン酸、コハク酸、アジピン酸、グルタル酸、マレイン酸、フマル酸、シトラコン酸、アコニット酸などの多価カルボン酸；リン酸、炭酸、塩酸等を用いることができる。」
キ　甲３の５
「【００１４】
また、本発明に用いられる中和剤の含有量は、最終生成物のｐＨが４〜９になるように調整するのが好ましく、更に好ましくはｐＨ６〜８である。」
ク　甲３の６
「【００２３】なお、得られた分解物を含む溶液は、皮膚への安全性の点からｐＨ４〜８に調整されることが好ましい。」
ケ　甲４の１
「８−２−１．配合薬剤の品質保証
…基剤中での薬剤の安定化には，同時に配合する成分の影響を，ｐＨ，温度，光，配合禁忌面からいち早く把握しておくことが重要である．
　不安定な薬剤の安定化には，酸素を断つ方法や酸化防止剤の配合，ｐＨ調整剤，金属イオン封鎖剤の配合や最適配合量の水準，不純物質の除去，生産プロセスにおける温度安定性の工夫，たとえば低温乳化や後添加混合など，さらには原料レベルでの安定な保管（冷暗所保管）などが重要なことである．」（第２２１頁）
コ　甲４の２
「１６　化粧品の品質
…
１６．１．２　薬剤の安定性
…ここでは薬剤の安定化のための一般的な方法を述べるが，それらの方法はかならずしもすべての薬剤にあてはまるわけではなく，場合によってはまったく効果がない場合もあるため，実際には各化粧品はそれぞれ独自の方法で安定化をはかっていることが多い．
…
　○２（注：原文は○囲い文字であるが、このように表す。以下同様。）配合基剤，処方の検討：たとえば加水分解を避けるためにｐＨを精密にコントロールできるような処方…を用いたり，…することが行われている．
…
　○２においては，不安定な薬剤の安定化のために種々の添加剤を用いることが多い．主として用いられるのが…ｐＨ調整剤…である」（第２２６〜２２８頁）
サ　甲５
「アスタキサンチン−ＬＳＣ１
　（水溶性液体，化粧品用途）」（表紙）
「アスタキサンチンについてはさまざまな研究がされており，…シミやシワの改善作用があることが報告されており，美容素材としても注目されています。
　オリザ油化（株）では，アスタキサンチンをヘマトコッカス藻から高濃度に抽出することに成功し，油状タイプ，粉末タイプ，水溶性乳化タイプなど様々なラインアップを準備致しました。健康，美容素材としてサプリメントや化粧品などにぜひお使い頂ければと思います。」（第２頁）
「９．美容作用
…
　別の試験で…アスタキサンチンの塗布に対する皮膚の光老化抑制効果を調べた報告があります。…アスタキサンチンは食べても，塗っても，しわの形成及び皮膚の弾力性の低下に対して改善効果があることがわかっています。」（第１３〜１４頁）
「１５．荷姿
…
　アスタキサンチン−ＬＳＣ１（乳化液，化粧品用途）
　１ｋｇ，５ｋｇ　　内装：ブリキ缶（内面；エポキシ樹脂コート）
　　　　　　　　　　外装：ダンボール包装
　　　　　　　　　　その他：窒素充填」（第１９〜２０頁）
「製品規格書
　製品名
　アスタキサンチン−ＬＳＣ１
　化粧品
　本品は，Haematococcus Pluvialis微細藻類から抽出，精製して得られたものを乳化させた水溶性の液体である。本品は定量するとき，アスタキサンチンを１．０％以上含む。
…
アスタキサンチン含量
…
組　成
成　分　　　　　　　　　　　　　　　　　　　　　含有量
　　　　　ヘマトコッカス藻抽出物　　　　　　　　　　　　５．３％
　　　　　抽出トコフェロール　　　　　　　　　　　　　　１．０％
　　　　　植物油脂
　　　　　グリセリン脂肪酸エステル
　　　　　レシチン　　　　　　　　　　　　　　　　　　９３．７％
　　　　　グリセリン
　　　　　
水　　　　　　　　　　　　　　　　　　　　　　　　　　
　　　　　合　計　　　　　　　　　　　　　　　　　　　　１００％」
（注：原文では、含有量「９３．７％」は、植物油脂、グリセリン脂肪酸エステル、レシチン、グリセリン、水の合計の含有量を示す。）（第２８頁）
「制定日　２００６年５月２５日」（奥付）
シ　甲６
「５．アスタキサンチンナノ分散物の安定性
　アスタキサンチンナノ分散物に，化粧品原料として求められる経時安定性を付与するために，アスタキサンチンの安定化剤の探索を行なった。化粧品原料として使用可能な原材料より，安定剤を探索した結果，アスコルビン酸類がアスタキサンチンの安定性を改善させることが明らかになった。さらに，化粧品原料として使用されている，アスコルビン酸誘導体類をアスタキサンチンナノ分散物に添加，４０℃，５０℃における，ナノ分散物中のアスタキサンチンの安定性を調べた。その結果，リン酸アスコルビルマグネシウム（以下，ＡＰＭ）の添加が有効であることがわかり，ＡＰＭを含有した分散物を作製した…。
６．アスタキサンチン分散物含有化粧品の作製
　安定化されたアスタキサンチン分散物を配合した，アスタキサンチン化粧水を試作した。油性のアスタキサンチンを含有しているが，ナノ分散化されているため，透明性を維持することに成功している…。」（第３２〜３３頁）
ス　甲７の１
「【００２３】
　本発明の好ましい態様において配合される成分（Ｃ）の界面活性剤は補助乳化剤として使用することができる。…
【００２５】
　本発明の好ましい態様において配合される成分（Ｃ）のノニオン界面活性剤としては、アルキルポリグルコシド、（ポリ）グリセリン脂肪酸エステル、プロピレングリコール脂肪酸エステル…等が挙げられる。…」
セ　甲７の２
「【０００２】
【従来の技術】…従来、非イオン性乳化剤としては、高級アルコールのエチレンオキサイド又はプロピレンオキサイド付加物、グリセリン脂肪酸エステルやポリグリセリン脂肪酸エステル等のグリセリンエステル類、ソルビタン脂肪酸エステル等の糖アルコールエステル類、ショ糖脂肪酸エステルやマルトース脂肪酸エステル等のオリゴ糖エステル類など、多くのものが知られている。しかしながら、これらの乳化剤は、その油分を水性液体に乳化させる乳化力において未だ十分ではなく、各種添加剤或いは他の界面活性剤と併用してその乳化力を改善しているのが現状である。一方、人体に対する安全性の高い非イオン性乳化剤として、各種のグリコシドが知られている…。しかしながら、これらのグリコシドも、前記した非イオン性乳化剤と同様に、油分の乳化性に劣るという欠点を有している。」
ソ　甲７の３
「【００４６】乳化剤として、ソルビタン脂肪酸エステル、グリセリン脂肪酸エステル、ポリグリセリン脂肪酸エステル、プロピレングリコール脂肪酸エステル、ポリエチレングリコール脂肪酸エステル、ポリオキシエチレンアルキルエーテル、ポリオキシプロピレンアルキルエーテル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、水素化ヒマシ油のポリオキシエチレン、ポリオキシアルキレンにより変性されたオルガノポリシロキサン、ポリオキシアルキル基およびアルキル基を有する変性されたオルガノポリシロキサン、脂肪アルコール、特に有利にアルキルエーテルカルボン酸およびその塩、アルキルスルフェート、グリセリン脂肪酸エステル、ポリエチレングリコール脂肪酸エステル、スクロース脂肪酸エステル、ポリオキシアルキレンにより変性されたオルガノポリシロキサン、ポリオキシアルキル基基およびアルキル基を有する変性されたオルガノポリシロキサン、脂肪アルコールが有利である。」
タ　甲７の４
「【００２２】
…
　これらのうち、本発明においては、乳化組成物を構成する他の物質との関係から非イオン界面活性剤が好ましい。具体的には、例えば、グリセリン脂肪酸エステル及びそのアルキレングリコール付加物、ポリグリセリン脂肪酸エステル及びそのアルキレングリコール付加物、プロピレングリコール脂肪酸エステル及びそのアルキレングリコール付加物、ソルビタン脂肪酸エステル及びそのアルキレングリコール付加物、ソルビトールの脂肪酸エステル及びそのアルキレングリコール付加物、ポリアルキレングリコール脂肪酸エステル、ショ糖脂肪酸エステル、ポリオキシアルキレンアルキルエーテル、グリセリンアルキルエーテル、ポリオキシエチレンアルキルフェニルエーテル、ポリオキシエチレン硬化ヒマシ油、ラノリンのアルキレングリコール付加物、ポリオキシアルキレンアルキル共変性シリコーン、ポリエーテル変性シリコーン等が挙げられる。これらの非イオン性界面活性剤のうち、ショ糖脂肪酸エステル及びポリグリセリン脂肪酸エステルが好ましく、まつ毛の束付きを抑え、使用時に生じるダマを低減するなどの効果の観点から、特にショ糖脂肪酸エステルが好ましい。」
チ　甲７の５
「【００２７】…非イオン性界面活性剤としては、グリセリン脂肪酸エステル及びそのアルキレングリコール付加物、ポリグリセリン脂肪酸エステル及びそのアルキレングリコール付加物、プロピレングリコール脂肪酸エステル及びそのアルキレングリコール付加物、ソルビタン脂肪酸エステル及びそのアルキレングリコール付加物、ソルビトールの脂肪酸エステル及びそのアルキレングリコール付加物、ポリアルキレングリコール脂肪酸エステル、蔗糖脂肪酸エステル、ポリオキシアルキレンアルキルエーテル、グリセリンアルキルエーテル、ポリオキシエチレンアルキルフェニルエーテル、ポリオキシエチレン硬化ヒマシ油、ラノリンのアルキレングリコール付加物、デキストリン脂肪酸エステル、蔗糖脂肪酸エステル、デンプン脂肪酸エステル等の糖脂肪酸エステル類、ポリオキシアルキレン変性オルガノポリシロキサン類等が挙げられる。」
ツ　甲７の６
「【００３３】ＨＬＢ７以下の乳化剤としては、例えば、ソルビタンモノラウレート、ソルビタンモノオレート、ソルビタンモノイソステアレート、ソルビタントリステアレートなどのソルビタン脂肪酸エステル類；グリセロールモノステアレート、グリセロールモノステアレート、グリセロールモノオレートなどのグリセリン脂肪酸エステル類；ＰＯＥ（５）硬化ヒマシ油、ＰＯＥ（７．５）硬化ヒマシ油、ＰＯＥ（１０）硬化ヒマシ油などのポリオキシエチレン硬化ヒマシ油；ジメチコンコポリオール、セチルジメチコンコポリオール、ジメチコンコポリオールクロスポリマーなどのポリエーテル変性シリコーン系界面活性剤；ポリオキシアルキレン化グリコール脂肪酸エステル系界面活性剤；ポリグリセリン脂肪酸エステル系界面活性剤；多価アルコールのポリヒドロキシステアリン酸エステル、ポリヒドロキシステアリルポリグリセリンや、ポリオキシエチレン化鎖および／またはポリオキシプロピレン化鎖を含む架橋型オルガノポリシロキサンエラストマーなどが挙げられる。」
テ　甲８
「製品規格書
　製品名
　アスタキサンチン−ＬＳＣ１
　化粧品
　本品は，Haematococcus Pluvialis微細藻類から抽出，精製して得られたものを乳化させた水溶性の液体である。本品は定量するとき，アスタキサンチンを１．０％以上含む。
…
組　成
成　分　　　　　　　　　　　　　　　　　　　　　含有量
　　　　　グリセリン　　　　　　　　　　　　　　　　　４５．０％
　　　　　水　　　　　　　　　　　　　　　　　　　　　１９．７％
　　　　　トリ（カプリル酸／カプリン酸）グリセリル　　１１．０％
　　　　　オレイン酸ポリグリセリル−１０　　　　　　　１１．０％
　　　　　ヘマトコッカスプルビアリスエキスおよび
　　　　　アスタキサンチン　　　　　　　　　　　　　　　５．３％
　　　　　ステアリン酸ポリグリセリル−１０　　　　　　　４．０％
　　　　　リゾレシチン　　　　　　　　　　　　　　　　　３．０％
　　　　　トコフェロール　　　　　　　　　　　　　　　　１．０％
　　　　　合　計　　　　　　　　　　　　　　　　　　１００．０％」
（第２８頁）
「今回の変更箇所：　規格書フォーマット変更（ｐ２１−２８）
　制定日　２００６年５月２５日
　改訂日　２０１２年９月１３日」（奥付）
ト　甲９の１
「Ａｓｔａｂｉｏ
　アスタビオ
　ＡＷ０．５
品名　食品添加物「ヘマトコッカス藻色素製剤」
…
成分及び重量％
　ヘマトコッカス藻色素−５．５％、グリセリン−６３％、
　ショ糖脂肪酸エステル−６％、グリセリン脂肪酸エステル−４％、
　抽出トコフェロール−２％、酵素分解レシチン（大豆由来）−０．５％、
　ローズマリー抽出物−０．０１％、食品素材及び水−２．９９％、
　水−１６％
製造年月　２００６年９月
…
品質保証期限　製造後６ヶ月…
使用上の注意
…
本品は乳化製剤ですので食品に対する添加方法、混合する製剤との相性に留意してください。」
ナ　甲９の２
「…アスタキサンチン水溶液
…Ａｓｔａｂｉｏ　ＡＷ０．５」（第３頁）
「アスタキサンチンの生産
　…「アスタキサンチン」を含有する微細藻類「ヘマトコッカス藻」の…
　こうして、自社工場で培養したヘマトコッカス乾燥バイオマスを、日本国内で細胞壁破壊、エタノール抽出の工程を経て、高品質アスタキサンチンオイル製品…に加工し、…化粧品等の分野へと、たしかな素材を提供致します。」（第５頁）
「Printed in Japan／2007.05.10NiC」（第６頁）
ニ　甲１０
「グリセリン脂肪酸エステル
Glycerol Esters of Fatty Acids
定義　本品は，脂肪酸とグリセリン又はポリグリセリンのエステル及びその誘導体である。本品には，グリセリン脂肪酸エステル，…ポリグリセリン脂肪酸エステル…がある。」
ヌ　甲１１の１（甲１１の２の訳文による）
「標準溶液及び局所的処方物の両方におけるアスコルビン酸、パルミチン酸アスコルビル及びリン酸アスコルビルマグネシウム（ＶＣ−ＰＭＧ（Ｒ））の安定性を、適切な水性−有機的溶媒混合物による試料希釈後の直接ＲＰ−ＨＰＬＣ分析により調査した。」（第７９５頁概要第１〜３行）
「種々のｐＨでのＶＣ−ＰＭＧ（１％ｗ／ｖ）溶液が調製され、そして、時間に対する濃度損失が、室温で２ヶ月の保存後に測定された。
　図４に示されるとおり，我々のデータは、強酸性条件（ｐＨ３〜４）におけるこの分子の高い不安定性を確認するが、ｐＨ５〜８．５の範囲においてリン酸基の加水分解はより低いことを示している（損失＜１０％）。」（第７９８頁右欄第４〜１２行）
「最後に、ｐＨによるＶＣ−ＰＭＧの安定性研究は、ＶＣ−ＰＭＧが化粧料試料中において中性又は弱酸性のｐＨにおいても使用できることを示した。」（第７９８頁右欄第２８〜３０行）
ネ　甲１２
「【０００２】
【従来の技術】
従来、リン酸Ｌ−アスコルビルマグネシウムやテトライソパルミチン酸Ｌ−アスコルビル等は、優れた美白効果を有するため、特に美白用の化粧料に汎用されている。
しかし、リン酸Ｌ−アスコルビルマグネシウム等の水溶性ビタミンＣ誘導体は、水溶性であり、油中水型乳化物として使用すると塗布時の感触が重くなってしまうため、従来より、主に化粧水や水中油型乳化物に配合されていた。また、該リン酸Ｌ−アスコルビルマグネシウムは、安定なｐＨ領域が通常６以上であるため、ｐＨが６未満では定量値が経日的に低下してしまうという性質を有している。…」
ノ　甲１３の１
「株式会社シー・シー・メディコ…は、８月１日よりチルド配送・冷蔵庫保管を前提にした生ものの基礎化粧品『Chilled for skin (チルド フォー スキン)』(以下、チルド化粧品)のサンプル出荷を開始致します。
◆チルド化粧品とは
原料生産から商品パッケージまで一貫し、質に大きな影響を及ぼす［酸素］［温度］［時間］［光］を、新開発のＣＣＭパッケージ（特許申請済）で制御し、生鮮食料品並みの鮮度で化粧品を流通させるという画期的な基礎化粧品です。」
ハ　甲１３の２
「○５　ＶＣ−ＰＭＧローションについて
　当クリニックで処方致しておりますＶＣ−ＰＭＧローションはリン酸Ｌ−アスコルビルマグネシウムというビタミンＣを高濃度に配合したローションです。
通常、ビタミンＣは塗っても皮膚から吸収されませんが、ＶＣ−ＰＭＧは経皮吸収型のビタミンＣとして一部の美白化粧品でも用いられております。一般に経皮吸収型のビタミンＣは化粧品や医薬部外品ではわずかな濃度しか配合されていませんので、効能効果として美白レベルにとどまっていたのが現状です。最近の研究では、ＶＣ−ＰＭＧを高濃度に配合することにより様々な効果が認められるに至りました。
…
（３）注意事項
［１］ＶＣ−ＰＭＧローションは防腐剤、殺菌剤等の成分は使用しておりません。また光に対しても弱いため保存は必ず冷蔵庫にてお願い致します。
…
○７　レチノイン酸クリームについて
…
レチノイン酸はビタミンＡの誘導体で、難治性のニキビの治療薬として米国で認可された後、シワなどの紫外線による皮膚の老化にも効果が認められ多くの患者さんに皮膚の若返り治療薬として使用されています。日本では正式に認可されていないのが現状ですが、当院では患者さんの症状に応じて独自のものを処方いたします。
…
（４）保管方法
レチノイン酸は一般の薬剤に比べて分解が非常に多いため、必ず冷凍庫にて保管して下さい。外出時や旅行にはお持ちにならないで下さい。
○８　ハイドロキノン軟膏について
…
当クリニックで処方致しておりますハイドロキノン軟膏はメラニン色素の生成を押さえ、皮膚を白くする漂白作用があります。ハイドロキノンは非常に変質しやすい為、抗酸化剤としてアスコルビン酸を添加してあります。冷蔵庫で保管の上２ヶ月程度を目安に使い切ってください。
…
（３）注意事項
［１］ハイドロキノンは非常に変質しやすいので、保存は必ず冷蔵庫でお願い致します。」
ヒ　甲１３の３
「植物性プラセンタ１００％原液　ＥＸ１００　１０ｍｌ
…
Ｑ　なぜ遮光バイアル瓶を使用しているのですか？
Ａ　光・温度で変質しないよう気を配っております。
遮光バイアル瓶は医薬品でも使用されている容器です。
本品は、完全無添加でデリケートな原液のため、光・温度で変質しないよう気を配っております。
※無添加でデリケートな商品ですので、開封後はかならず冷蔵保存してください。」
フ　甲１３の４
「…ダマスクローズウォーターは、化学香料・添加物は一切使用しない１００％純粋な商品です。「腐食ビン」を使用していますが、保管の際は冷蔵庫等の冷暗所で直射日光を避けて保存してください。」
ヘ　甲１３の５
「クトロＶＣ５ローション…
肌の中に浸透してビタミンＣに変わる水溶性高濃度ビタミンＣ誘導体５％に抗酸化力を高め乾燥感を抑える１４種類の植物抽出エキスをプラスしました。
…
開封後は要冷蔵です。
凍らさないように冷蔵庫のドアポケットや野菜室に入れておいてください。」
ホ　甲１４の１
　甲５について、オリザ油化株式会社が、２００６年５月３０日から同年６月１日にかけて、東京ビッグサイトで開催されたｉｆｉａ　ＪＡＰＡＮ　２００６（第１１回国際食品素材／添加物展・会議）にて、第三者への頒布を開始した旨記載されている。
マ　甲１４の２
　２００６年１０月４日から同年１０月６日にかけて、東京ビッグサイトで開催された食品開発展２００６において、バイオジェニック株式会社が甲５を入手した旨記載されている。
２　無効理由１について
（１）本件特許発明１について
ア　甲１に記載された発明
　甲１には、摘示１アの事項からみて次の発明が記載されているといえる（以下、「引用発明１」という。）。
「グリセリン、クエン酸、リン酸アスコルビルＭｇ、水酸化Ｎａ、アルギニン、オレイン酸ポリグリセリル−１０、ヘマトコッカスプルビアリス油、トコフェロール、レシチンを含有する美容液。」
イ　対比
　本件特許発明１と引用発明１とを対比する。
　引用発明１の「ヘマトコッカスプルビアリス油」、「レシチン」、「オレイン酸ポリグリセリル−１０」、「リン酸アスコルビルＭｇ」、「クエン酸、水酸化Ｎａ、アルギニン」、「美容液」は、ヘマトコッカスプルビアリス油がアスタキサンチンを豊富に含むヘマトコッカス藻から抽出されたものであるから、本件特許発明１の「アスタキサンチン」、「リン脂質又はその誘導体」、「ポリグリセリン脂肪酸エステル」、「リン酸アスコルビルマグネシウム…リン酸アスコルビル誘導体」、「ｐＨ調整剤」、「スキンケア用化粧料」に相当する。したがって、両者は、
「（ａ）アスタキサンチン、ポリグリセリン脂肪酸エステル、及びリン脂質又はその誘導体を含む；
（ｂ）リン酸アスコルビルマグネシウム、及びリン酸アスコルビルナトリウムから選ばれる少なくとも１種のアスコルビン酸誘導体；並びに
（ｃ）ｐＨ調整剤
を含有する、スキンケア用化粧料。」
の点で一致し、次の点で相違する。
相違点１：本件特許発明１はアスタキサンチン、ポリグリセリン脂肪酸エステル、及びリン脂質又はその誘導体が、それらを含む「エマルジョン粒子」の形態で含有するものであるのに対して、引用発明１はかかる事項を発明特定事項としない点。
相違点２：本件特許発明１は「ｐＨが５．０〜７．５」であるのに対して、引用発明１はかかる事項を発明特定事項としない点。
ウ　相違点の検討
　相違点２について検討する。
　本件特許発明１は、「本発明の分散組成物は、カロテノイド含有油性成分及び、リン脂質又はその誘導体を含むエマルジョン粒子を有する水分散物と、アスコルビン酸又はその誘導体を含む水性組成物と、ｐＨ調整剤とを混合することによって得られたｐＨが５〜７．５の分散組成物である。
　本発明では、カロテノイド含有油性成分を含み、エマルジョン粒子を有するＯ／Ｗ型エマルジョンである水分散物と、アスコルビン酸又はその誘導体を含む水性組成物とを混合し、更にｐＨをｐＨ５〜７．５とすることにより、カロテノイド含有油性成分の分散安定性とカロテノイドの色味安定性とを共に良好に保つことができ、その結果、保存安定性、特に室温での保存安定性に優れた分散組成物とすることができる。」（【０００９】）との記載からみて、アスタキサンチン（カロテノイド含有油性成分）を含み、エマルジョン粒子を有するＯ／Ｗ型エマルジョンである水分散物と、アスコルビン酸又はその誘導体を含む水性組成物とを混合し、ｐＨを５．０〜７．５とすることにより、アスタキサンチンの分散安定性の向上等を図るものであるところ、甲１には、そのｐＨは開示されていない。
　甲１に記載された「エフ　スクエア　アイ　インフィルトレート　セラム　リンクル　エッセンス」のかかるｐＨに関し、被請求人の提出した乙号証を参照すると、乙１には、●（省略）●と記載され、乙１５には、●（省略）●と記載されていることに鑑みると、甲１に記載された「エフ　スクエア　アイ　インフィルトレート　セラム　リンクル　エッセンス」は●（省略）●と推認される。そうすると、引用発明１は、そのｐＨとして「５．０〜７．５」を採用したものとはいえない。
　引用発明１のｐＨが明らかでなく、また甲３の１〜甲３の６からみて、化粧品のｐＨを弱酸性〜弱アルカリ性の範囲とすることが技術常識であったとしても、甲４の２における「薬剤の安定化のための一般的な方法…はかならずしもすべての薬剤にあてはまるわけではなく，場合によってはまったく効果がない場合もあるため，実際には各化粧品はそれぞれ独自の方法で安定化をはかっていることが多い」（摘示１コ）ことを考慮すると、引用発明１のｐＨが５．０〜７．５である蓋然性が高いものとは必ずしもいえず、ｐＨを５．０〜７．５とすることが周知技術の付加であって、適宜になし得たことともいえない。
　よって、本件特許発明１は、相違点２に係る本件特許発明１の構成の点において、引用発明１と実質的に相違するといえる。
エ　小括
　以上のとおりであって、本件特許発明１は、少なくとも相違点２に係る構成の点で引用発明１とはいえないから、本件特許発明１は、甲１に記載された発明とはいえない。
（２）本件特許発明２〜４について
　本件特許請求の範囲の請求項２〜４は、請求項１を引用して記載したものであるから、本件特許発明２〜４は、本件特許発明１に係る発明特定事項を有するものといえる。
　そうすると、本件特許発明２〜４と引用発明１とを対比すると、上記２（１）イにおいて、本件特許発明１と引用発明１とを対比した場合について認定した相違点１及び２と同様の相違点が必然的に存在するといえる。
　そして、それらの相違点のうち、少なくとも相違点２については、上記２（１）ウにおいて本件特許発明１について記載した理由と同様の理由により、本件特許発明２〜４と引用発明１との実質的な相違点といえるから、本件特許発明２〜４は、甲１に記載された発明とはいえない。
（３）請求人の主張について
　請求人は、甲３の１〜甲３の６の記載から、「化粧品のｐＨは弱酸性〜弱アルカリ性の範囲、数値的にはｐＨ４〜８の範囲内とされていることは技術常識であるといえ」、「かかる技術常識に照らして」甲１に記載された「美容液は、化粧品が有する通常の上記ｐＨ範囲内の美容液であることが記載されているに等しいということがいえる」と主張する。しかし、甲４の２における摘示１コの記載からみて、化粧品薬剤の安定性はｐＨのみをもって図るものということはできず、この主張を採用することができない。
　また、請求人は、無効理由１は公然実施（特許法第２９条第１項第２号）に基づく新規性欠如ではなく、甲１に基づく新規性欠如（特許法第２９条第１項第３号）であり、甲１には、「商品名　エフ　スクエア　アイ　インフィルトレート　セラム　リンクル　エッセンス」という製品そのものではないから、当該名称の製品が現実に存在するか否かは無効理由１とは無関係である旨、乙１は公知文献でなく、甲１から把握される技術事項でもないことから、無効理由１についての新規性にかかわる証拠として無価値である旨、主張する。しかし、甲１にはｐＨに関する記載はなく、「商品名　エフ　スクエア　アイ　インフィルトレート　セラム　リンクル　エッセンス」という製品の成分を表示したものであるから、該商品の実体から離れて甲１の記載内容を理解することはできない。そうすると、上記２（１）ウで示したとおり、引用発明１は本件特許発明１と同じく「ｐＨが５．０〜７．５」であるということはできず、この主張を採用することができない。
（４）無効理由１のまとめ
　以上のとおりであって、本件特許発明１〜４は、甲１に記載された発明とはいえず、特許法第２９条第１項第３号に掲げた発明であることを理由に特許を受けることができないものとすることはできない。
　よって、請求人の主張する無効理由１によって、本件特許請求の範囲の請求項１〜４に係る特許を無効とすることはできない。
３　無効理由２について
（１）本件特許発明１について
　引用発明１は、上記２（１）に記載したとおりのものであり、本件特許発明１と引用発明１とを対比すると、上記２（１）イに記載したとおりの一致点及び相違点が存在する。
ア　相違点の検討
　相違点２について検討する。
　甲３の１〜甲３の６からは、化粧品のｐＨを弱酸性〜弱アルカリ性とすることは技術常識であるように見受けられる。また、甲４の１〜甲４の２からは、化粧品のｐＨのコントロールは化粧品の安定化の一つの手段であることが認識できる。しかし、甲１に記載された「エフ　スクエア　アイ　インフィルトレート　セラム　リンクル　エッセンス」は乙１を参照すれば●（省略）●の化粧品であるといえる。そして、例え上記技術常識があるとしても、引用発明１にかかる技術常識を導入する契機、すなわち、かかる化粧品を弱酸性〜弱アルカリ性と設定することの動機づけとなるような記載を甲１から見出すことはできない。このため、上記技術常識や甲４の１〜甲４の２の記載事項をもってしても、本件特許発明１が、引用発明１、あるいは引用発明１と甲３の１〜甲３の６、甲４の１〜甲４の２の記載に基づいて当業者が容易になし得たものとはいえない。
　そうすると、相違点１について検討するまでもなく、本件特許発明１は、引用発明１、あるいは引用発明１と甲３の１〜甲３の６、甲４の１〜甲４の２の記載に基づいて当業者が容易になし得たものとはいえない。
イ　本件特許発明１の効果について
　本件特許発明１は、「本発明の分散組成物は、カロテノイド含有油性成分及び、リン脂質又はその誘導体を含むエマルジョン粒子を有する水分散物と、アスコルビン酸又はその誘導体を含む水性組成物と、ｐＨ調整剤とを混合することによって得られたｐＨが５〜７．５の分散組成物である。
　本発明では、カロテノイド含有油性成分を含み、エマルジョン粒子を有するＯ／Ｗ型エマルジョンである水分散物と、アスコルビン酸又はその誘導体を含む水性組成物とを混合し、更にｐＨをｐＨ５〜７．５とすることにより、カロテノイド含有油性成分の分散安定性とカロテノイドの色味安定性とを共に良好に保つことができ、その結果、保存安定性、特に室温での保存安定性に優れた分散組成物とすることができる。」（【０００９】）との記載等からみて、アスタキサンチン（カロテノイド含有油性成分）を含み、エマルジョン粒子を有するＯ／Ｗ型エマルジョンである水分散物と、アスコルビン酸又はその誘導体を含む水性組成物とを混合し、ｐＨを５．０〜７．５とすることにより、アスタキサンチンの分散安定性とカロテノイドの色味安定性とを共に良好に保つことを図る効果を奏するものであるが、引用発明１のｐＨを弱酸性〜弱アルカリ性とし、化粧品としての安定化を図ったところで、これによりアスタキサンチンの分散安定性とカロテノイドの色味安定性との両方を良好にすることが明らかであるとはいえず、また、そのことを当業者が予測し得たものとはいえない。
ウ　小括
　以上のとおりであって、本件特許発明１は、引用発明１、あるいは引用発明１と甲３の１〜甲３の６、甲４の１〜甲４の２の記載に基づいて当業者が容易になし得たものではなく、当業者が予測し得ない効果を奏するものであるから、本件特許発明１は、甲１に記載された発明に基づいて、又は、甲１並びに甲３の１〜甲３の６及び甲４の１〜甲４の２に記載された発明に基づいて当業者が容易になし得たものとはいえない。
（２）本件特許発明２〜４について
　本件特許請求の範囲の請求項２〜４は、請求項１を引用して記載したものであるから、本件特許発明２〜４は本件特許発明１に係る発明特定事項を有するものといえる。
　そうすると、本件特許発明２〜４と引用発明１とを対比すると、上記（１）において、本件特許発明１と引用発明１とを対比した場合と同様の相違点が存在するといえる。
　そして、それらの相違点のうち、相違点２については、上記（１）アに本件特許発明１について記載した理由と同様の理由により、引用発明１、あるいは引用発明１と甲３の１〜甲３の６、甲４の１〜甲４の２の記載に基づいて当業者が容易になし得たものとは認められない。
　よって、本件特許発明２〜４は、引用発明１、あるいは引用発明１と甲３の１〜甲３の６、甲４の１〜甲４の２の記載に基づいて当業者が容易になし得たものとはいえない。
（３）請求人の主張について
　請求人は、甲１に記載された美容液を安定化するために、化粧品が有する通常のｐＨの範囲内、特に弱酸性から弱アルカリ性のｐＨ範囲内で適切なｐＨ範囲とすることは、周知の課題解決手段、すなわち周知の技術的手段であり、該美容液の安定化を図るために、ｐＨを５．０〜７．５に調整することは、当業者であれば当然に実施する程度の数値範囲の最適化に過ぎず、かかる数値範囲は、化粧品が通常有するｐＨとして何ら特異な数値でもない旨（審判請求書第３６頁下から２行〜第３７頁第６行）、また、本件特許発明１〜４の室温等での２８日間の経時安定性については、リン酸アスコルビルマグネシウム又はリン酸アスコルビルナトリウムを配合した化粧料は、ｐＨが５．０〜７．５の範囲であれば良好であるという効果が記載されているに過ぎないものであり、これはすなわち、化粧品のｐＨを化粧品分野における技術常識のｐＨ範囲内で最適に調整することにより経時安定性が向上したことを単に裏付けるに過ぎないものである旨（同第３８頁第１〜６行）主張する。さらに、請求人は、甲４の１〜甲４の２にはｐＨ調整剤を用いてｐＨを調整することが記載されていることは被請求人も認めているのであり、甲４の１〜甲４の２のかかる記載から当業者が当然に試みる選択肢の範囲に含まれ、化粧料の安定化のためにとり得る手段がｐＨ調整以外に記載されているとしても、ｐＨ調整による化粧料の安定化を試みることは当業者にとって容易になし得る事項である旨（請求人提出の口頭審理陳述要領書第１９頁第１〜６行）主張する。しかし、甲４の２における摘示１コの記載からみて、化粧品薬剤の安定性はｐＨのみをもって図るものということはできず、甲１に記載された美容液における適切なｐＨが５．０〜７．５の範囲であることや、該美容液のｐＨを５．０〜７．５に調整することで室温等での２８日間の経時安定性が良好なものとなることは、甲１、甲３の１〜甲３の６、甲４の１〜甲４の２のいずれの記載からも予測することはできず、この主張を採用することができない。
（４）無効理由２のまとめ
　以上のとおりであって、本件特許発明１〜４は、引用発明１、あるいは引用発明１と甲３の１〜甲３の６、甲４の１〜甲４の２の記載に基づいて当業者が容易になし得たものではなく、特許法第２９条第２項の規定により特許を受けることができないものとはいえない。
　よって、請求人の主張する無効理由２によって、本件特許発明１〜４に係る特許を無効とすることはできない。
４　無効理由３について
　甲５は、オリザ油化株式会社作成の「アスタキサンチン　ver.1.0 SM」カタログであって、制定日が２００６年５月２５日と記載されるものであり、甲１４の１には、作成者であるオリザ油化株式会社が同年５月３０日から同年６月１日にかけて、東京ビッグサイトで開催されたｉｆｉａ　ＪＡＰＡＮ　２００６（第１１回国際食品素材／添加物展・会議）にて、第三者への配布を開始した旨、甲１４の２には、バイオジェニック株式会社が同年１０月４日から同年１０月６日にかけて、東京ビッグサイトで開催された食品開発展２００６において、甲５を入手した旨、それぞれ記載されている。以上の点から、甲５は、遅くとも同年１０月６日には頒布されたもの、すなわち、本願出願日前に頒布されたものとして検討する。
（１）本件特許発明１について
ア　甲５に記載された発明
　甲５には、上記１サからみて、次の発明が記載されているといえる（以下、「引用発明５」という。）
「ヘマトコッカス藻抽出物、抽出トコフェロール、植物油脂、グリセリン脂肪酸エステル、レシチン、グリセリン及び水を含有し、アスタキサンチン含量１．０％以上の化粧品用途の乳化液。」
イ　対比
　本件特許発明１と引用発明５とを対比する。
　引用発明５の「レシチン」は、本件特許発明１の「リン脂質又はその誘導体」に相当する。また、引用発明５の「化粧品用途の乳化液」に関し、甲５第２８頁には「アスタキサンチン−ＬＳＣ１　化粧品」と記載されているが、甲５のその余の記載においては、この製品が化粧品用途であるに留まり、「美容素材」として化粧品に使うことを企図していることや、バルク製品である荷姿からみて、この製品単独で化粧品として供給されているものとはいえず、化粧品用途を目的とした乳化液組成物と解される。してみると、両者は、
「（ａ）アスタキサンチン、及びリン脂質又はその誘導体を含む乳化液組成物」
の点で一致し、次の点で相違する。
相違点１：本件特許発明１はアスタキサンチン、ポリグリセリン脂肪酸エステル、及びリン脂質又はその誘導体が、それらを含む「エマルジョン粒子」の形態で含有されるものであるのに対して、引用発明５はかかる事項を発明特定事項としない点、
相違点２：本件特許発明１は「ｐＨ調整剤」を含み「ｐＨが５．０〜７．５」であるのに対して、引用発明５はかかる事項を発明特定事項としない点、
相違点３：本件特許発明１は「リン酸アスコルビルマグネシウム、及びリン酸アスコルビルナトリウムから選ばれる少なくとも１種のアスコルビン酸誘導体」を含むものであるのに対して、引用発明５はかかる事項を発明特定事項としない点、
相違点４：本件特許発明１は「ポリグリセリン脂肪酸エステル」を含むのに対して、引用発明５は「グリセリン脂肪酸エステル」を含むものである点、
相違点５：本件特許発明１は「スキンケア用化粧料」であるのに対して、引用発明５は「化粧品用途の乳化液組成物」である点。
ウ　相違点１〜５についての検討
　甲６から、アスタキサンチンの安定化のためにリン酸アスコルビルマグネシウムを添加することが公知であることから、相違点３については当業者が容易に想到し得るものであるといえる。
　しかし、相違点１に係る「エマルジョン粒子」の形態の点がアスタキサンチン、リン脂質又はその誘導体の親水性、親油性等の技術常識から明らかであり、そして、ｐＨ調整剤等でｐＨ調整を行うこと（甲４の１〜甲４の２）、化粧品のｐＨは弱酸性から弱アルカリ性とすること（甲３の１〜甲３の６）、及び、グリセリン脂肪酸エステルとポリグリセリン脂肪酸エステルとがいずれも薬品類としてグリセリン脂肪酸エステルという同じ分類のものであること（甲７の１〜甲７の６、甲１０）が当業者における技術常識であったとしても、引用発明５において、アスタキサンチンの安定化のためにリン酸アスコルビルマグネシウムを添加した上で、ｐＨ調整剤を用いてリン酸アスコルビルマグネシウムが分解しないように、また、アスタキサンチンの分散安定性と色味安定性とを良好に保つためにｐＨ５．０〜７．５程度に調整し（相違点２）、さらに乳化剤をポリグリセリン脂肪酸エステルに限定する（相違点４）ことで、スキンケア用化粧料とすること（相違点５）は、それらの構成を採用することに動機づけがなく、したがって、当業者が容易になし得たこととはいえない。
エ　本件特許発明１の効果について
　本件特許発明１は、「本発明では、カロテノイド含有油性成分を含み、エマルジョン粒子を有するＯ／Ｗ型エマルジョンである水分散物と、アスコルビン酸又はその誘導体を含む水性組成物とを混合し、更にｐＨをｐＨ５〜７．５とすることにより、カロテノイド含有油性成分の分散安定性とカロテノイドの色味安定性とを共に良好に保つことができ、その結果、保存安定性、特に室温での保存安定性に優れた分散組成物とすることができる。」（【０００９】）との記載等からみて、アスタキサンチン（カロテノイド含有油性成分）を含み、エマルジョン粒子を有するＯ／Ｗ型エマルジョンである水分散物と、アスコルビン酸又はその誘導体を含む水性組成物とを混合し、ｐＨを５．０〜７．５とすることにより、アスタキサンチンの分散安定性とカロテノイドの色味安定性とを共に良好に保つことを図るという格別の効果を奏するものであり、この点について甲５には記載も示唆もなく、また技術常識であるとも認められないことから、この効果を容易に予測することはできない。
　引用発明５は「ポリグリセリン脂肪酸エステル」を含まないものであるが、乙１８には、ポリグリセリン脂肪酸エステルを含有したものとグリセリン脂肪酸エステルを含有したものとでは、その分散性において、少なくとも外観上異なるものとなることが示されていることを参酌すると、この点においても、本願特許発明１は引用発明５に対して格別の効果を奏するものといえる。
オ　小括
　以上のとおりであって、本件特許発明１は、引用発明５、甲６、甲７の１〜甲７の６、甲４の１〜甲４の２に記載された技術的事項に基づいて当業者が容易になし得たものではなく、当業者が予測し得ない効果を奏するものであるから、本件特許発明１は、甲５、甲６、甲７の１〜甲７の６、甲４の１〜甲４の２に記載された発明に基づいて当業者が容易になし得たものとはいえない。
（２）本件特許発明２〜４について
　本件特許請求の範囲の請求項２〜４は、請求項１を引用して記載したものであるから、本件特許発明２〜４は本件特許発明１に係る発明特定事項を有するものといえる。
　そうすると、本件特許発明２〜４と引用発明５とを対比すると、上記（１）において、本件特許発明１と引用発明５とを対比した場合と同様の相違点が存在するといえる。
　そして、それらの相違点のうち、相違点２〜４については、上記（１）アに本件特許発明１について記載した理由と同様の理由により、引用発明５、甲６、甲７の１〜甲７の６、甲４の１〜甲４の２の記載に基づいて当業者が容易になし得たものとは認められない。
　よって、本件特許発明２〜４は、甲５、甲６、甲７の１〜甲７の６、甲４の１〜甲４の２の記載に基づいて当業者が容易になし得たものとはいえない。
（３）請求人の主張について
　請求人は、化粧品の安定化を向上させるために、化粧品にｐＨ調整剤を添加して、化粧品が有する通常のｐＨの範囲内、特に弱酸性から弱アルカリ性のｐＨ範囲内で適切なｐＨ範囲とすることは、周知の課題解決手段、すなわち周知の技術的手段であり、引用発明５の化粧品の安定化を図るために、ｐＨを５．０〜７．５に調整することは、当業者であれば当然に実施する程度の数値範囲の最適化に過ぎず、係る数値範囲は、化粧品が通常有するｐＨとして何ら特異な数値でもない旨（審判請求書第４５頁下から１１行〜末行）、また、甲６には、アスタキサンチンを含有する化粧品に、リン酸アスコルビルマグネシウムを添加することが、化粧品の経時安定性を向上させると記載されていることから、本件特許発明１の効果は、予測し得ない格別顕著な効果を奏し得るものではない旨（同第４６頁第２〜５行）主張する。しかし、甲４の２における摘示１コの記載からみて、化粧品薬剤の安定性はｐＨのみをもって図るものということはできず、甲５に記載された化粧品用途の乳化液組成物を用いて化粧品とし、さらにこれを化粧品における適切なｐＨが５．０〜７．５の範囲とすることや、該化粧品のｐＨを５．０〜７．５に調整することで室温等での２８日間の経時安定性が良好なものとなることは、甲５、甲６、甲７の１〜甲７の６、甲４の１〜甲４の２のいずれの記載からも予測することはできず、この主張を採用することができない。
（４）無効理由３のまとめ
　以上のとおりであって、本件特許発明１〜４は、甲５、甲６、甲７の１〜甲７の６、甲４の１〜甲４の２に記載された発明に基づいて当業者が容易になし得たものではなく、特許法第２９条第２項の規定により特許を受けることができないものとはいえない。
　よって、請求人の主張する無効理由３によって、本件特許発明１〜４に係る特許を無効とすることはできない。
５　無効理由４について
　甲９の１は、バイオジェニック株式会社販売の「Ａｓｔａｂｉｏ　ＡＷ０．５」製品のラベルであって、「製造年月　２００６年９月」、「品質保証期限　製造後６ヶ月」と記載されるものの、実際に当該製品が出荷されたものであるか否かが不明であり、したがって甲９の１自体の頒布日は明らかでない。そうすると、甲９の１に基づく進歩性違反は一義的には成り立つものではない。しかし、仮に、遅くとも品質保証期限と理解される、製造年月である２００６年９月から６ヶ月後の２００７年３月までに頒布されたもの、すなわち、本願出願日前に頒布されたものとして、以下検討する。
（１）本件特許発明１について
ア　甲９の１に記載された発明
　甲９の１には、摘示１トからみて、次の発明が記載されているといえる（以下、「引用発明９の１」という。）
「ヘマトコッカス藻色素、グリセリン、グリセリン脂肪酸エステル、抽出トコフェロール、酵素分解レシチン（大豆由来）を含有する食品添加物であるヘマトコッカス藻色素製剤」
イ　対比
　本件特許発明１と引用発明９の１とを対比する。
　引用発明９の１の「ヘマトコッカス藻色素」、「酵素分解レシチン（大豆由来）」は、本件特許発明１の「アスタキサンチン」、「リン脂質又はその誘導体」に相当し、引用発明９の１の「製剤」は、本件特許発明１の「化粧料」と「組成物」である点で共通するから、両者は、
「（ａ）アスタキサンチン、及びリン脂質又はその誘導体を含有する、組成物。」
の点で一致し、次の点で相違する。
相違点１：本件特許発明１はアスタキサンチン、ポリグリセリン脂肪酸エステル、及びリン脂質又はその誘導体が、それらを含む「エマルジョン粒子」の形態で含有されるものであるのに対して、引用発明９の１はかかる事項を発明特定事項としない点、
相違点２：本件特許発明１は「ｐＨ調整剤」を含み「ｐＨが５．０〜７．５」であるのに対して、引用発明９の１はかかる事項を発明特定事項としない点、
相違点３：本件特許発明１は「リン酸アスコルビルマグネシウム、及びリン酸アスコルビルナトリウムから選ばれる少なくとも１種のアスコルビン酸誘導体」を含むものであるのに対して、引用発明９の１はかかる事項を発明特定事項としない点、
相違点４：本件特許発明１は「ポリグリセリン脂肪酸エステル」を含むのに対して、引用発明９の１は「グリセリン脂肪酸エステル」を含むものである点、
相違点５：本件特許発明１は「スキンケア用化粧料」であるのに対して、引用発明９の１は「食品添加物であるヘマトコッカス藻色素製剤」である点。
ウ　相違点１〜５についての検討
　甲６から、アスタキサンチンの安定化のためにリン酸アスコルビルマグネシウムを添加することが公知であることから、相違点３については当業者が容易に想到し得るものであるといえる。
　しかし、相違点１に係る「エマルジョン粒子」の形態の点がアスタキサンチン、リン脂質又はその誘導体の親水性、親油性等の技術常識から明らかであり、そして、ｐＨ調整剤等でｐＨ調整を行うこと（甲４の１〜甲４の２）、化粧品のｐＨは弱酸性から弱アルカリ性とすること（甲３の１〜甲３の６）、及び、グリセリン脂肪酸エステルとポリグリセリン脂肪酸エステルとがいずれも薬品類としてグリセリン脂肪酸エステルという同じ分類のものであること（甲７の１〜甲７の６、甲１０）が当業者における技術常識であったとしても、引用発明９の１において、甲９の２の記載を基に化粧品用途へ展開し、その際、アスタキサンチンの安定化のためにリン酸アスコルビルマグネシウムを添加した上で、ｐＨ調整剤を用いてリン酸アスコルビルマグネシウムが分解しないように、また、アスタキサンチンの分散安定性と色味安定性とを良好に保つためにｐＨ５．０〜７．５程度に調整し（相違点２）、さらに乳化剤をポリグリセリン脂肪酸エステルに限定する（相違点４）ことで、スキンケア用化粧料とすること（相違点５）は、それらの構成を採用することに動機づけがなく、したがって、当業者が容易になし得たこととはいえない。
エ　本件特許発明１の効果について
　本件特許発明１は、「本発明では、カロテノイド含有油性成分を含み、エマルジョン粒子を有するＯ／Ｗ型エマルジョンである水分散物と、アスコルビン酸又はその誘導体を含む水性組成物とを混合し、更にｐＨをｐＨ５〜７．５とすることにより、カロテノイド含有油性成分の分散安定性とカロテノイドの色味安定性とを共に良好に保つことができ、その結果、保存安定性、特に室温での保存安定性に優れた分散組成物とすることができる。」（【０００９】）との記載等からみて、アスタキサンチン（カロテノイド含有油性成分）を含み、エマルジョン粒子を有するＯ／Ｗ型エマルジョンである水分散物と、アスコルビン酸又はその誘導体を含む水性組成物とを混合し、ｐＨを５．０〜７．５とすることにより、アスタキサンチンの分散安定性とカロテノイドの色味安定性とを共に良好に保つことを図るという格別の効果を奏するものであり、この点について甲９の１には記載も示唆もなく、また技術常識であるとも認められないことから、この効果を容易に予測することはできない。
　引用発明９の１は「ポリグリセリン脂肪酸エステル」を含まないものであるが、乙１８には、ポリグリセリン脂肪酸エステルを含有したものとグリセリン脂肪酸エステルを含有したものとでは、その分散性において、少なくとも外観上異なるものとなることが示されていることを参酌すると、この点においても、本願特許発明１は引用発明９の１に対して格別の効果を奏するものといえる。
オ　小括
　以上のとおりであって、本件特許発明１は、引用発明９の１、甲９の２、甲６、甲７の１〜甲７の６、甲４の１〜甲４の２に記載された技術的事項に基づいて当業者が容易になし得たものではなく、当業者が予測し得ない効果を奏するものであるから、本件特許発明１は、甲９の１〜甲９の２、甲６、甲７の１〜甲７の６、甲４の１〜甲４の２に記載された発明に基づいて当業者が容易になし得たものとはいえない。
（２）本件特許発明２〜４について
　本件特許請求の範囲の請求項２〜４は、請求項１を引用して記載したものであるから、本件特許発明２〜４は本件特許発明１に係る発明特定事項を有するものといえる。
　そうすると、本件特許発明２〜４と引用発明９の１とを対比すると、上記（１）において、本件特許発明１と引用発明９の１とを対比した場合と同様の相違点が存在するといえる。
　そして、それらの相違点のうち、相違点２〜４については、上記（１）アに本件特許発明１について記載した理由と同様の理由により、引用発明９の１、甲９の２、甲６、甲７の１〜甲７の６、甲４の１〜甲４の２の記載に基づいて当業者が容易になし得たものとは認められない。
　よって、本件特許発明２〜４は、甲９の１〜甲９の２、甲６、甲７の１〜甲７の６、甲４の１〜甲４の２の記載に基づいて当業者が容易になし得たものとはいえない。
（３）請求人の主張について
　請求人は、無効理由３と同様、無効理由４についても、引用発明９の１、甲９の２、甲６、甲７の１〜甲７の６、甲４の１〜甲４の２の記載に基づいて当業者が容易に想到できるものであり、本件特許発明１の作用効果も、同様に予測し得ない格別顕著な効果を奏し得るものではない旨主張する。しかし、上記４（３）で示したとおり、甲４の２における摘示１コの記載からみて、化粧品薬剤の安定性はｐＨのみをもって図るものということはできず、甲９の１に記載された組成物を用いて化粧品とし、さらにこれを化粧品における適切なｐＨが５．０〜７．５の範囲とすることや、該化粧品のｐＨを５．０〜７．５に調整することで室温等での２８日間の経時安定性が良好なものとなることは、甲９の１〜甲９の２、甲６、甲７の１〜甲７の６、甲４の１〜甲４の２のいずれの記載からも予測することはできず、この主張を採用することができない。
（４）無効理由４のまとめ
　以上のとおりであって、本件特許発明１〜４は、甲９の１〜甲９の２、甲６、甲７の１〜甲７の６、甲４の１〜甲４の２に記載された発明に基づいて当業者が容易になし得たものではなく、特許法第２９条第２項の規定により特許を受けることができないものとはいえない。
　よって、請求人の主張する無効理由４によって、本件特許発明１〜４に係る特許を無効とすることはできない。
第６　むすび
　以上のとおりであるから、請求人の主張する理由及び証拠方法によっては、本件特許発明１〜４に係る特許を無効にすることはできない。
　審判費用については、特許法第１６９条第２項の規定で準用する民事訴訟法第６１条の規定により、請求人が負担すべきものとする。
　よって、結論のとおり審決する。